(57)【要約】【課題】ユーザに負担をかけることなく必要なＥＰＧを効率よく取得する。【解決手段】第１設定テーブルには各曜日の時間帯の優先順位が第１設定部６１により設定されている。第２設定テーブルには各曜日のチャンネルの優先順位が第２設定部６２により設定されている。ユーザ設定テーブルにはチャンネルの優先順位がユーザ設定部６０により設定されている。ＥＰＧ取得部６３は、受信機の電源がオフの場合、現在の時刻が属する曜日の次の曜日の第１設定テーブルにおいて最も優先順位の高い直近の時間帯で、ユーザ設定テーブルで優先順位の高いチャンネルから順にＥＰＧを取得する。一方、受信機の電源がオンの場合、ＥＰＧ取得部６３は、現在の時刻が属する曜日の第２設定テーブルにおいて優先順位が上位３番目までのチャンネルのＥＰＧを取得する。【選択図】  図８
2005026810.tif 000002
【特許請求の範囲】
【請求項１】
デジタル放送受信装置の使用の履歴を記憶する履歴記憶手段と、
前記履歴に基づいてＥＰＧ（Ｅｌｅｃｔｒｉｃａｌ  Ｐｒｏｇｒａｍ  Ｇｕｉｄｅ）を取得すべき時刻の優先順位を設定する第１設定手段と、
前記履歴に基づいてＥＰＧを取得すべきチャンネルの優先順位を設定する第２設定手段と、
少なくとも前記ＥＰＧを取得すべき時刻の優先順位又は前記ＥＰＧを取得すべきチャンネルの優先順位に基づいてＥＰＧを取得すべき時刻又はＥＰＧを取得すべきチャンネルを決定し前記ＥＰＧを取得するＥＰＧ取得手段と、
前記ＥＰＧを取得すべき時刻の優先順位又は前記ＥＰＧを取得すべきチャンネルの優先順位の設定を受け付ける設定受付手段と、
を備え、
前記履歴は、各曜日の所定の時間帯において各チャンネルを受信した時間の長さと、各曜日の所定の時間帯において各チャンネルを受信した時間の長さの合計と、各曜日の所定の時間帯においてチャンネルを変更しなかった時間の長さのうち最大の時間の長さと、各曜日の所定の時間帯において各チャンネルのＥＰＧを取得するのに要した時間の長さとを含み、
前記第１設定手段は、各曜日の所定の時間帯において各チャンネルを受信した時間の長さの合計及び各曜日の所定の時間帯においてチャンネルを変更しなかった時間の長さのうち最大の時間の長さに応じて前記ＥＰＧを取得すべき時刻の優先順位を設定し、
前記第２設定手段は、各曜日の所定の時間帯においてあるチャンネルを受信した時間の長さ及び各曜日の所定の時間帯において各チャンネルのＥＰＧを取得するのに要した時間の長さに応じて前記ＥＰＧを取得すべきチャンネルの優先順位を設定し、
前記ＥＰＧ取得手段は、前記設定受付手段により受け付けられたＥＰＧを取得すべき時刻の優先順位又はＥＰＧを取得すべきチャンネルの優先順位にさらに基づいてＥＰＧを取得すべき時刻又はＥＰＧを取得すべきチャンネルを決定し前記ＥＰＧを取得することを特徴とするデジタル放送受信装置。
【請求項２】
デジタル放送受信装置の使用の履歴を記憶する履歴記憶手段と、
前記履歴に基づいてＥＰＧ（Ｅｌｅｃｔｒｉｃａｌ  Ｐｒｏｇｒａｍ  Ｇｕｉｄｅ）を取得すべき時刻の優先順位を設定する第１設定手段と、
前記履歴に基づいてＥＰＧを取得すべきチャンネルの優先順位を設定する第２設定手段と、
少なくとも前記ＥＰＧを取得すべき時刻の優先順位又は前記ＥＰＧを取得すべきチャンネルの優先順位に基づいてＥＰＧを取得すべき時刻又はＥＰＧを取得すべきチャンネルを決定し前記ＥＰＧを取得するＥＰＧ取得手段と、
を備えることを特徴とするデジタル放送受信装置。
【請求項３】
前記履歴は各曜日の所定の時間帯において各チャンネルを受信した時間の長さを含むことを特徴とする請求項２記載のデジタル放送受信装置。
【請求項４】
前記履歴は各曜日の所定の時間帯において各チャンネルを受信した時間の長さの合計をさらに含むことを特徴とする請求項３記載のデジタル放送受信装置。
【請求項５】
前記第１設定手段は、各曜日の所定の時間帯において各チャンネルを受信した時間の長さの合計に応じて前記ＥＰＧを取得すべき時刻の優先順位を設定することを特徴とする請求項４記載のデジタル放送受信装置。
【請求項６】
前記履歴は各曜日の所定の時間帯においてチャンネルを変更しなかった時間の長さのうち最大の時間の長さをさらに含むことを特徴とする請求項２〜５のいずれかに記載のデジタル放送受信装置。
【請求項７】
前記第１設定手段は、各曜日の所定の時間帯においてチャンネルを変更しなかった時間の長さのうち最大の時間の長さに応じて前記ＥＰＧを取得すべき時刻の優先順位を設定することを特徴とする請求項６記載のデジタル放送受信装置。
【請求項８】
前記第２設定手段は、各曜日の所定の時間帯においてあるチャンネルを受信した時間の長さに応じて前記ＥＰＧを取得すべきチャンネルの優先順位を設定することを特徴とする請求項３記載のデジタル放送受信装置。
【請求項９】
前記履歴は、各曜日の所定の時間帯において各チャンネルのＥＰＧを取得するのに要した時間の長さを含むことを特徴とする請求項２〜８のいずれかに記載のデジタル放送受信装置。
【請求項１０】
前記第２設定手段は、各曜日の所定の時間帯において各チャンネルのＥＰＧを取得するのに要した時間の長さに応じて前記ＥＰＧを取得すべきチャンネルの優先順位を設定することを特徴とする請求項９記載のデジタル放送受信装置。
【請求項１１】
前記ＥＰＧを取得すべき時刻の優先順位又は前記ＥＰＧを取得すべきチャンネルの優先順位の設定を受け付ける設定受付手段をさらに備え、
前記ＥＰＧ取得手段は、前記設定受付手段により受け付けられたＥＰＧを取得すべき時刻の優先順位又はＥＰＧを取得すべきチャンネルの優先順位にさらに基づいてＥＰＧを取得すべき時刻又はＥＰＧを取得すべきチャンネルを決定し前記ＥＰＧを取得することを特徴とする請求項３〜１０のいずれかに記載のデジタル放送受信装置。
【発明の詳細な説明】
【０００１】
【発明の属する技術分野】
本発明は、電子番組ガイド（ＥＰＧ；Ｅｌｅｃｔｒｉｃａｌ  Ｐｒｏｇｒａｍ  Ｇｕｉｄｅ）の取得に関する。
【０００２】
【従来の技術】
近年、地上波デジタル放送、通信衛星（ＣＳ）放送、放送衛星（ＢＳ）放送といったデジタル放送技術が普及している。このデジタル放送では、各々のチャンネルに対応する画像データや音声データ等と共に、放送する番組のジャンルや放送時間などに関するＥＰＧが送信される。このＥＰＧを利用して、ユーザの選局操作を支援する技術が様々提供されている。
【０００３】
例えば、特許文献１には、ＥＰＧに含まれるジャンルについてユーザが優先して視聴したいジャンルやユーザの都合に合った放送時間等を数値化した参照値を設定しておき、この参照値に基づいてスコアを算出し、スコアが上位の番組を一覧表示させる技術が開示されている。これによると、表示された一覧はリモコン装置により選択できるため、自分の好みに合ったジャンルに属する番組を容易に選択できる。あるいは、特許文献２には、衛星利用のデジタル放送で送信される番組ガイド情報を端末側で受信しておき、例えばスポーツ番組の属性を有する番組のガイドだけを表示させることで、このガイドの中から所望の番組を容易に選択可能にする技術が記載されている。あるいは、特許文献３には、ＥＰＧに基づいて現在視聴している番組の優先度を求め、この優先度を用いて新たな映像の表示要求に対する表示画面の切り換えを制御する技術が記載されている。
【０００４】
【特許文献１】
特開２００２−１１２１３２号公報、段落番号００７５〜００７８、図４〜６
【０００５】
【特許文献２】
特開平１０−２５７４４８号公報、段落番号００３３〜００３４
【０００６】
【特許文献３】
特開２００２−３０５６９５号公報、段落番号００３４、００７４
【０００７】
【発明が解決しようとする課題】
上述のように、ＥＰＧはチャンネルに対応する画像データや音声データ等と共に送信されるため、受信機でそのチャンネルを受信しなければＥＰＧを取得することはできない。このため、ＥＰＧの取得中にユーザがチャンネルを選局できないといったようにユーザに負担をかけるような事態も生じうる。しかし、上記特許文献１〜３において、ユーザに負担をかけることなく必要なＥＰＧを効率よく取得可能にする具体的な技術は開示されていない。本発明は、ユーザに負担をかけることなく必要なＥＰＧを効率よく取得することを目的とする。
【０００８】
【課題を解決するための手段】
請求項１記載の発明は、デジタル放送受信装置の使用の履歴を記憶する履歴記憶手段と、前記履歴に基づいてＥＰＧ（Ｅｌｅｃｔｒｉｃａｌ  Ｐｒｏｇｒａｍ  Ｇｕｉｄｅ）を取得すべき時刻の優先順位を設定する第１設定手段と、前記履歴に基づいてＥＰＧを取得すべきチャンネルの優先順位を設定する第２設定手段と、少なくとも前記ＥＰＧを取得すべき時刻の優先順位又は前記ＥＰＧを取得すべきチャンネルの優先順位に基づいてＥＰＧを取得すべき時刻又はＥＰＧを取得すべきチャンネルを決定し前記ＥＰＧを取得するＥＰＧ取得手段と、前記ＥＰＧを取得すべき時刻の優先順位又は前記ＥＰＧを取得すべきチャンネルの優先順位の設定を受け付ける設定受付手段と、を備え、前記履歴は、各曜日の所定の時間帯において各チャンネルを受信した時間の長さと、各曜日の所定の時間帯において各チャンネルを受信した時間の長さの合計と、各曜日の所定の時間帯においてチャンネルを変更しなかった時間の長さのうち最大の時間の長さと、各曜日の所定の時間帯において各チャンネルのＥＰＧを取得するのに要した時間の長さとを含み、前記第１設定手段は、各曜日の所定の時間帯において各チャンネルを受信した時間の長さの合計及び各曜日の所定の時間帯においてチャンネルを変更しなかった時間の長さのうち最大の時間の長さに応じて前記ＥＰＧを取得すべき時刻の優先順位を設定し、前記第２設定手段は、各曜日の所定の時間帯においてあるチャンネルを受信した時間の長さ及び各曜日の所定の時間帯において各チャンネルのＥＰＧを取得するのに要した時間の長さに応じて前記ＥＰＧを取得すべきチャンネルの優先順位を設定し、前記ＥＰＧ取得手段は、前記設定受付手段により受け付けられたＥＰＧを取得すべき時刻の優先順位又はＥＰＧを取得すべきチャンネルの優先順位にさらに基づいてＥＰＧを取得すべき時刻又はＥＰＧを取得すべきチャンネルを決定し前記ＥＰＧを取得することを特徴とするデジタル放送受信装置である。
【０００９】
請求項２記載の発明は、デジタル放送受信装置の使用の履歴を記憶する履歴記憶手段と、前記履歴に基づいてＥＰＧ（Ｅｌｅｃｔｒｉｃａｌ  Ｐｒｏｇｒａｍ  Ｇｕｉｄｅ）を取得すべき時刻の優先順位を設定する第１設定手段と、前記履歴に基づいてＥＰＧを取得すべきチャンネルの優先順位を設定する第２設定手段と、少なくとも前記ＥＰＧを取得すべき時刻の優先順位又は前記ＥＰＧを取得すべきチャンネルの優先順位に基づいてＥＰＧを取得すべき時刻又はＥＰＧを取得すべきチャンネルを決定し前記ＥＰＧを取得するＥＰＧ取得手段と、を備えることを特徴とするデジタル放送受信装置である。
【００１０】
デジタル放送受信装置の使用の履歴とは、デジタル放送受信装置の電源を投入した曜日・時刻・時間帯、デジタル放送受信装置が受信したチャンネル及びそのチャンネルの受信曜日・時刻・時間帯等の日時、継続して同じチャンネルを受信した時間の長さ、チャンネルを全く選局しなかった時間の長さ、ＥＰＧを取得した日時、各チャンネルのＥＰＧの取得に要した時間などであるが、デジタル放送受信装置がその使用状態に関して取得可能なデータであればこれらに限定されない。
【００１１】
この発明によると、デジタル放送受信装置の使用の履歴に基づき、ＥＰＧを取得すべき時刻の優先順位又はＥＰＧを取得すべきチャンネルの優先順位が設定され、これらの優先順位に基づいてＥＰＧを取得すべき時刻又はＥＰＧを取得すべきチャンネルが決定されてＥＰＧが取得される。即ち、必要なチャンネルのＥＰＧを優先して適切な時刻に取得することができ、ユーザに負担をかけることなく効率的なＥＰＧの取得が可能となる。
【００１２】
請求項３記載の発明は、前記履歴は各曜日の所定の時間帯において各チャンネルを受信した時間の長さを含むことを特徴とする請求項２記載のデジタル放送受信装置である。
【００１３】
各曜日の所定の時間帯とは、例えば月〜日曜日の２４時間を午前０時から１時間ごとに分割してなる時間帯であるが、その他の方式で時間帯を定めてもよい。また、チャンネルを受信した時間の長さとは、チャンネルの受信を開始した時刻から受信を終了した時刻までの時間の長さである。
【００１４】
この発明によると、ある曜日のある時間帯におけるあるチャンネルの受信時間の長さや、一旦受信したチャンネルをそのまま変更せず継続して受信した時間の長さなどを履歴として記憶できる。
【００１５】
請求項４記載の発明は、前記履歴は各曜日の所定の時間帯において各チャンネルを受信した時間の長さの合計をさらに含むことを特徴とする請求項３記載のデジタル放送受信装置である。
【００１６】
各曜日の所定の時間帯において各チャンネルを受信した時間の長さの合計とは、ある曜日のある時間帯において受信した全てのチャンネルの受信時間の長さの合計である。この発明によると、各時間帯ごとのチャンネル受信時間の合計の長さを履歴として記憶できる。
【００１７】
請求項５記載の発明は、前記第１設定手段は、各曜日の所定の時間帯において各チャンネルを受信した時間の長さの合計に応じて前記ＥＰＧを取得すべき時刻の優先順位を設定することを特徴とする請求項４記載のデジタル放送受信装置である。
【００１８】
この発明によると、各曜日の所定の時間帯において各チャンネルを受信した時間の長さの合計に応じて優先順位が設定される。従って、例えば、何らかのチャンネルを受信した時間帯について、受信時間の長さの合計が短い時間帯から優先順位を高く設定し、優先順位の最も高い時間帯にＥＰＧを取得すれば、何らかのチャンネルを受信して視聴する可能性が高い時間帯にデジタル放送受信装置がＥＰＧを取得しようとしてチャンネルの選局ができなくなるといった不都合を避けることができる。
【００１９】
請求項６記載の発明は、前記履歴は各曜日の所定の時間帯においてチャンネルを変更しなかった時間の長さのうち最大の時間の長さをさらに含むことを特徴とする請求項２〜５のいずれかに記載のデジタル放送受信装置である。
【００２０】
この発明によると、チャンネルを変更しなかった時間の長さのうち最大の時間の長さ（以下、最大無変更時間長という）を履歴として記憶できる。チャンネルを変更しなかったとは、同じチャンネルを継続して受信することのほか、受信装置の電源オフなどによりどのチャンネルも全く選局しない状態も含む。
【００２１】
請求項７記載の発明は、前記第１設定手段は、各曜日の所定の時間帯においてチャンネルを変更しなかった時間の長さのうち最大の時間の長さに応じて前記ＥＰＧを取得すべき時刻の優先順位を設定することを特徴とする請求項６記載のデジタル放送受信装置である。
【００２２】
この発明によると、最大無変更時間長に応じてＥＰＧを取得すべき時刻の優先順位が設定される。例えば、最大無変更時間長が長い時間帯から優先順位を高く設定し、優先順位の最も高い時間帯にＥＰＧを取得すれば、受信装置の電源オフなどでユーザが全く視聴を行っていない可能性の高い時間帯にＥＰＧを取得することができる。
【００２３】
請求項８記載の発明は、前記第２設定手段は、各曜日の所定の時間帯においてあるチャンネルを受信した時間の長さに応じて前記ＥＰＧを取得すべきチャンネルの優先順位を設定することを特徴とする請求項３記載のデジタル放送受信装置である。
【００２４】
この発明によると、各曜日の所定の時間帯においてあるチャンネルを受信した時間の長さに応じてＥＰＧを取得すべきチャンネルの優先順位が設定される。例えば、ある時間帯において受信されたチャンネルについて、受信した時間の長さが長いチャンネルから優先順位を高く設定すれば、視聴の可能性が高いチャンネルのＥＰＧから優先的に取得できる。
【００２５】
請求項９記載の発明は、前記履歴は、各曜日の所定の時間帯において各チャンネルのＥＰＧを取得するのに要した時間の長さを含むことを特徴とする請求項２〜８のいずれかに記載のデジタル放送受信装置である。
【００２６】
この発明によると、各曜日の所定の時間帯において各チャンネルのＥＰＧを取得するのに要した時間の長さを履歴として記憶できる。
【００２７】
請求項１０記載の発明は、前記第２設定手段は、各曜日の所定の時間帯において各チャンネルのＥＰＧを取得するのに要した時間の長さに応じて前記ＥＰＧを取得すべきチャンネルの優先順位を設定することを特徴とする請求項９記載のデジタル放送受信装置である。
【００２８】
この発明によると、各曜日の所定の時間帯において各チャンネルのＥＰＧを取得するのに要した時間の長さに応じてＥＰＧを取得すべきチャンネルの優先順位が設定される。例えば、過去に受信したチャンネルについて、これらのチャンネルのＥＰＧ取得に要した時間の長さが短いチャンネルから優先順位を高く設定すれば、短時間で取得できるＥＰＧから優先的に取得できる。
【００２９】
請求項１１記載の発明は、前記ＥＰＧを取得すべき時刻の優先順位又は前記ＥＰＧを取得すべきチャンネルの優先順位の設定を受け付ける設定受付手段をさらに備え、前記ＥＰＧ取得手段は、前記設定受付手段により受け付けられたＥＰＧを取得すべき時刻の優先順位又はＥＰＧを取得すべきチャンネルの優先順位にさらに基づいてＥＰＧを取得すべき時刻又はＥＰＧを取得すべきチャンネルを決定し前記ＥＰＧを取得することを特徴とする請求項３〜１０のいずれかに記載のデジタル放送受信装置である。
【００３０】
この発明によると、ユーザがＥＰＧを取得すべき時刻の優先順位又はＥＰＧを取得すべきチャンネルの優先順位を設定できる。従って、ユーザの都合に合わせたＥＰＧの取得が可能となる。
【００３１】
【発明の実施の形態】
（１）概略構成
図１は、本発明の一実施形態に係る地上波デジタル放送受信機の構成図である。この受信機は、ＯＦＤＭチューナ回路１と、ＤＥ・ＭＵＸ回路２と、ＭＰＥＧＤＥＣＯＤＥＲ回路３と、ＧＲＡＰＨＩＣ回路４と、ＮＴＳＣエンコーダ回路５と、ＣＰＵ６と、メモリ７，８とを備えている。ＯＦＤＭチューナ回路１は、ＣＰＵ６により設定されるチャンネルの周波数に基づいて放送信号を受信する。ＤＥ・ＭＵＸ回路２は、ＯＦＤＭ信号をＭＰＥＧ形式のデータにデコードしてＭＰＥＧ  ＤＥＣＯＤＥＲ回路３に出力するとともに、ＮＩＴに含まれる地域識別情報をＣＰＵ６に入力する。ＭＰＥＧ  ＤＥＣＯＤＥＲ回路３は、ＭＰＥＧ形式のデータをデコードする。ＧＲＡＰＨＩＣ回路４は、デコードされたＭＰＥＧ形式のデータを画像信号に変換する。ＮＴＳＣエンコーダ回路５は、画像信号をＮＴＳＣ信号に変換し、テレビ等の表示装置２０に出力する。
【００３２】
ＣＰＵ６は、ＯＦＤＭチューナ回路１にチャンネルの周波数を設定することによりチャンネルスキャンを行う。チャンネルスキャンの結果、ある放送局からの放送信号が正常かつ良好に受信できると判断された場合、ＣＰＵ６は、その放送信号に含まれる受信情報を取得し、取得した受信情報と、地域識別情報に基づきその放送信号に割り当てるべきリモコン１０のチャンネル選択ボタンの番号とを対応づけてメモリ８に記憶する。また、ＣＰＵ６は、メモリ８に記憶された受信情報に含まれるサービスＩＤで特定される放送局のＥＰＧ（Ｅｌｅｃｔｒｉｃａｌ  Ｐｒｏｇｒａｍ  Ｇｕｉｄｅ）を放送信号から取得し、取得したＥＰＧをサービスＩＤと対応づけてメモリ８に記憶する。ＣＰＵ６は、ユーザ設定部６０と、第１設定部６１と、第２設定部６２と、ＥＰＧ取得部６３とを有する。ユーザ設定部６０、第１設定部６１、第２設定部６２、ＥＰＧ取得部６３の機能は後述する。
【００３３】
（２）機能構成
（２−１）第１履歴テーブル
図２は、メモリ８に記憶される第１履歴テーブルが有する情報の一例である。このテーブルには、月曜日の２４時間を午前０時から１時間ごとに分割した時間帯の間に受信したチャンネル（ｃｈ）の受信時間（単位は分）の長さが記憶されている。このテーブルに記憶される各チャンネルの受信時間の長さは、各曜日の各時間帯の経過後にＣＰＵ６が自動更新するものとする。なお、説明を簡略にするため、このテーブルに記憶される各チャンネルの受信時間の長さは、その時間帯において同一のチャンネルを複数回受信した場合、同一のチャンネルの受信時間の長さを合計したものとなる。この図によると、例えば、ＰＭ６：００〜７：００の時間帯では、ｃｈ１は３０分、ｃｈ６は１０分、ｃｈ８は１０分の受信時間が記憶されている。また、このテーブルには、各チャンネルを受信した時間のの長さの合計が「ＯＮ時間計」として記憶されている。この図によると、例えば、時間帯ＰＭ６：００〜７：００でのＯＮ時間計は、５０分が記憶されている。さらに、このテーブルには、各時間帯においてチャンネルを変更しなかった時間の長さの最大値を「ｃｈ変更無し（最大）」として記憶している。チャンネルを変更しなかったとは、同じチャンネルを継続して受信することのほか、受信装置の電源オフなどによりどのチャンネルも全く選局しない状態も含む。この図によると、例えば、ＰＭ６：００〜７：００の時間帯でのｃｈ変更無し（最大）は、１５分が記憶されている。なお、この図には示さないが、火〜日曜日についても図２と同様のテーブルが各々メモリ８に記憶されるものとする。以下、これらのテーブルも第１履歴テーブルという。
【００３４】
（２−２）第１設定テーブル
図３は、メモリ８に記憶される第１設定テーブルが有する情報の一例である。このテーブルには、月曜日の各時間帯に優先順位が対応づけられている。この優先順位は、各時間帯に付与される点数から設定される。各時間帯に付与される点数は、第１設定部６１が次のようにして求める。即ち、第１設定部６１は、各時間帯のＯＮ時間計について、６０分には０点、５９分には１点、以下同様にして、０分には６０点を付与する。一方、各時間帯におけるｃｈ変更無し（最大）について、６０分には６０点、５９分には５９点、以下同様にして、０分には０点を付与する。そして、ＯＮ時間計に付与された点数と、ｃｈ変更無し（最大）に付与された点数とを合計した点数を各時間帯の点数とする。図３によると、例えば、時間帯「月曜ＰＭ６：００〜７：００」の点数は、ＯＮ時間合計に付与された点数は１０点、ｃｈ変更無し（最大）に付与された点数は１５点であるから、１０＋１５＝２５点となる。そして、第１設定部６１は、このようにして各時間帯に点数を付与した後、点数の多い時間帯から順に優先順位を対応づける。なお、同じ点数の時間帯には同じ優先順位が対応づけられる。例えば、時間帯ＰＭ６：００〜７：００は２３番目に点数の多い時間帯であるため、優先順位として２３が対応づけられる。従って、ＯＮ時間合計が短い時間帯ほど優先順位が高くなり、またｃｈ変更無し（最大）が長い時間帯ほど優先順位が高くなる。なお、上記の点数計算の方式は一例であり、その他の方式であってもよい。また、この図には示さないが、火〜日曜日についても図３と同様のテーブルが各々メモリ８に記憶されるものとする。以下、これらのテーブルも第１設定テーブルという。
【００３５】
（２−３）一時テーブル
図４は、メモリ８に記憶される一時テーブルが有する情報の一例である。このテーブルでは、月曜日のＰＭ６：００〜７：００において各チャンネルに付与された点数が対応づけられている。このチャンネルに付与される点数は、第２設定部６２が次のようにして求める。即ち、図２の第１履歴テーブルから各時間帯に受信したチャンネルの受信時間の長さについて、１分を１点、２分を２点、以下同様にして６０分に６０点を付与する。図４によると、例えば時間帯「月曜ＰＭ６：００〜７：００」においてｃｈ１の受信時間の長さは３０分であるから、ｃｈ１には点数３０が付与される。なお、図４には示さないが、他の曜日及び時間帯、例えば日曜ＡＭ０：００〜１：００等の時間帯についても、各チャンネルの受信時間の長さ及び点数を記憶する図４と同様のテーブルが各々メモリ８に記憶されるものとする。以下、これらのテーブルも一時テーブルという。
【００３６】
（２−４）第２履歴テーブル
図５は、メモリ８に記憶される第２履歴テーブルが有する情報の一例である。このテーブルでは、各チャンネルのＥＰＧの取得に要した時間と、各チャンネルに付与された点数とが対応づけられている。このチャンネルに付与される点数は、第２設定部６２が次のようにして求める。即ち、第２設定部６２は１２０からチャンネルのＥＰＧの取得に要した時間（秒）を減じた値をそのチャンネルの点数とする。図５によると、例えば、ｃｈ１のＥＰＧ取得に要した時間は５５秒であり、点数は１２０−５５＝６５点が付与されている。各チャンネルのＥＰＧの取得に要した時間及び点数は、ＥＰＧ取得部６３がＥＰＧの取得を完了した後逐次自動更新する。
【００３７】
（２−５）第２設定テーブル
図６は、メモリ８に記憶される第２設定テーブルが有する情報の一例である。このテーブルは、各曜日の各時間帯における各チャンネルの優先順位を対応付けて記憶する。この優先順位は、第２設定部６２が次のようにして設定する。即ち、まず第２設定部６２は、一時テーブル（図４参照）に記憶された各曜日の各時間帯における各チャンネルに付与した点数と、第２履歴テーブル（図５参照）に記憶された各時間帯における各チャンネルに付与した点数とを合計した点数を各チャンネルについて算出し、第２設定テーブルに記憶する。例えば、時間帯「月曜ＰＭ６：００〜７：００」のｃｈ１の点数の合計は、月曜の一時テーブルの点数３０点（図４参照）と、第２履歴テーブルの点数６５点（図５参照）を加えた９５点である。次に、第２設定部６２は、合計点数の多いチャンネルから順に優先順位を付与する。例えば、ｃｈ１の点数９５点は最も点数の多いチャンネルであるため優先順位１が付与される。従って、受信時間の長いチャンネルほど優先順位が高くなり、またＥＰＧの取得に要する時間が短いチャンネルほど優先順位が高くなる。また、他の曜日及び時間帯、例えば火曜日ＰＭ６：００〜７：００についても、上記と同様に設定された優先順位を各チャンネルに対応づけるテーブルが各々メモリ８に記憶されるものとする。以下、これらのテーブルについても第２設定テーブルという。なお、上記の点数計算の方式は一例であり、その他の方式であってもよい。
【００３８】
（２−６）ユーザ設定テーブル
図７は、メモリ８に記憶されるユーザ設定テーブルが有する情報の一例である。このテーブルでは、各チャンネルに優先順位が対応づけられている。この優先順位は、ユーザのリモコン１０の操作などに従い、ユーザ設定部６０が更新する。従って、ユーザが自由に各チャンネルに付与する優先順位を変更できる。図７によると、例えばｃｈ１には優先順位１が付与されている。
【００３９】
（３）ＥＰＧ取得処理
以上のように構成される第１設定テーブル、第２設定テーブル及びユーザ設定テーブルに基づき、ＥＰＧ取得部６３は各チャンネルのＥＰＧを取得するためのＥＰＧ取得処理を行う。以下、図８に示すＥＰＧ取得処理のフローチャートに基づきＥＰＧ取得部６３の処理を説明する。この処理は、受信機の主電源がオンになったときに開始する。
【００４０】
ステップ（以下、Ｓで示す）１：ＥＰＧ取得部６３は、地上波デジタル放送受信機が有する図示しないクロックから現在の時刻を、またメモリ８に記憶された受信情報に基づき受信可能なチャンネルの一覧を取得する。
【００４１】
Ｓ２：ＥＰＧ取得部６３は、リモコン１０の電源ボタン等により地上波デジタル放送受信機の電源がオンとされているか否かを判断する。オンの場合、Ｓ８へ移行する。オフの場合、Ｓ３へ移行する。
【００４２】
Ｓ３：ＥＰＧ取得部６３は、受信可能な全てのチャンネルのＥＰＧが取得済みであるか否かを判断する。既に全てのチャンネルのＥＰＧが取得されている場合、Ｓ１に戻る。ＥＰＧが取得されていないチャンネルがある場合、Ｓ４に移行する。
【００４３】
Ｓ４：ＥＰＧ取得部６３は、Ｓ１で取得した現在の時刻が属する曜日の次の曜日の第１設定テーブルにおいて最も優先順位の高い直近の時間帯を特定し、これを第１設定テーブルから読み込む。例えば、現在の時刻が日曜日ＰＭ１１：００の場合、ＥＰＧ取得部６３は月曜日の第１設定テーブル（図３参照）から最も高い優先順位が付与されている直近の時間帯「ＡＭ２：００〜３：００」を読み込む。
【００４４】
Ｓ５：ＥＰＧ取得部６３は、ユーザ設定テーブル（図７参照）から各チャンネルに付与される優先順位を読み込む。
【００４５】
Ｓ６：ＥＰＧ取得部６３は、クロックの示す現在の時刻を監視し、現在の時刻がＳ４で読み込んだ時間帯に到達したか否かを判断する。到達した場合、Ｓ７へ移行する。到達していない場合、Ｓ１へ戻る。
【００４６】
Ｓ７：ＥＰＧ取得部６３は、ＯＦＤＭチューナ１を制御してＳ５で取得した優先順位の高いチャンネルから順に受信させ、受信したチャンネルのＥＰＧを順次取得し、Ｓ１へ戻る。
【００４７】
Ｓ８：ＥＰＧ取得部６３は、受信可能な全てのチャンネルのＥＰＧが取得済みであるか否かを判断する。既に全てのチャンネルのＥＰＧが取得されている場合、Ｓ１に戻る。ＥＰＧが取得されていないチャンネルがある場合、Ｓ９に移行する。
【００４８】
Ｓ９：ＥＰＧ取得部６３は、Ｓ１で取得した現在の時刻が属する曜日の第２設定テーブル（図６参照）から各チャンネル及びそれらに付与される優先順位を読み込む。
【００４９】
Ｓ１０：ＥＰＧ取得部６３は、Ｓ９で読み込んだチャンネルに上位３番目までの優先順位が付与されているか否かを判断する。上位３番目までの優先順位が付与されている場合、Ｓ１１へ移行する。上位３番目までの優先順位が付与されていない場合、Ｓ１へ戻る。
【００５０】
Ｓ１１：ＥＰＧ取得部６３は、ＯＦＤＭチューナ１を制御して上位３番目までの優先順位が付与されている全てのチャンネルを受信させ、これらのチャンネルのＥＰＧを取得する。そして、Ｓ１へ戻る。
【００５１】
（４）本実施形態に係る受信装置の特徴
以上の処理Ｓ１〜７により、受信機の電源がオフの場合は第１設定テーブルにおいて最も優先順位の高い時間帯に、ユーザ設定テーブルにおいて優先順位の高いチャンネルのＥＰＧから順に取得される。第１設定テーブルでは、第１履歴テーブルのＯＮ時間合計が短い時間帯ほど多く点数が付与されて優先順位が高くなるよう設定されているから、何らかのチャンネルを受信して視聴する可能性が高い時間帯にデジタル放送受信装置がＥＰＧを取得しようとしてチャンネルの選局ができなくなるといった不都合を避けることができる。また、第１設定テーブルでは、第１履歴テーブルのｃｈ変更無し（最大）が長い時間帯ほど多く点数が付与されて優先順位が高くなるよう設定されているから、受信装置の電源オフなどでユーザが全く視聴を行っていない可能性の高い時間帯にＥＰＧを取得することができる。加えて、第１設定テーブルの優先順位は、これらの点数の合計の大小により設定されるため、ＯＮ時間合計のみ、あるいはｃｈ変更無し（最大）のみに基づいて優先順位を設定するよりもユーザが視聴を行わない時間帯にＥＰＧを取得できる可能性が増す。また、特に、Ｓ３〜７の処理は受信機の電源オフ時に行われるから、ユーザが受信機を使用している際にＥＰＧ取得が行われてユーザがチャンネルを選局できないといった不都合を避け、かつＥＰＧを確実に取得することができる。一方、ユーザが設定したチャンネルの優先順位に基づいてＥＰＧの取得が行われるから、ユーザが必要とするＥＰＧから優先的に取得できる。
【００５２】
また、以上の処理Ｓ８〜１１により、受信機の電源がオンの場合は第２設定テーブルにおいて優先順位が上位３番目までのチャンネルのＥＰＧが取得される。第２設定テーブルでは、第２履歴テーブルのＥＰＧ取得時間が短いチャンネルほど多く点数が付与されて優先順位が高くなるよう設定されているから、短時間で取得できるＥＰＧから優先的に取得できる。また、第２設定テーブルでは、視聴時間の長いチャンネルほど多く点数が付与されて優先順位が高くなるよう設定されているから、視聴の可能性が高いチャンネルのＥＰＧから優先的に取得でき、取得の効率が増す。加えて、第２設定テーブルの優先順位は、これらの点数の合計の大小により設定されるため、ＥＰＧ取得時間のみ、あるいはチャンネルの視聴時間のみで優先順位を設定するよりも、ユーザが実際に必要とするＥＰＧの取得を優先できる可能性が増す。また、電源オン時にＥＰＧが取得されるのは優先順位が上位３番目までのチャンネルであるため、ユーザが電源をオンにして実際に視聴を行う可能性が極めて高い状態ではＥＰＧ取得動作を必要最小限にし、ＥＰＧ取得動作によりユーザがチャンネルを選局できないといった不都合を極力避けることができる。
【００５３】
【発明の効果】
本発明によると、デジタル放送受信装置の使用の履歴に基づき、ＥＰＧを取得すべき時刻の優先順位又はＥＰＧを取得すべきチャンネルの優先順位が設定され、これらの優先順位に基づいてＥＰＧを取得すべき時刻又はＥＰＧを取得すべきチャンネルが決定されてＥＰＧが取得される。即ち、必要なチャンネルのＥＰＧを優先して適切な時刻に取得することができ、ユーザに負担をかけることなく効率的なＥＰＧの取得が可能となる。
【図面の簡単な説明】
【図１】本発明の一実施形態に係る地上波デジタル放送受信機の構成図。
【図２】第１履歴テーブルに記憶される情報の一例。
【図３】第１設定テーブルに記憶される情報の一例。
【図４】一時テーブルに記憶される情報の一例。
【図５】第２履歴テーブルに記憶される情報の一例。
【図６】第２設定テーブルに記憶される情報の一例。
【図７】ユーザ設定テーブルに記憶される情報の一例。
【図８】ＥＰＧ取得処理の流れを示すフローチャート。
【符号の説明】
６０：ユーザ設定部
６１：第１設定部
６２：第２設定部
６３：ＥＰＧ取得部
【図１】
2005026810.tif 000003
【図２】
2005026810.tif 000004
【図３】
2005026810.tif 000005
【図４】
2005026810.tif 000006
【図５】
2005026810.tif 000007
【図６】
2005026810.tif 000008
【図７】
2005026810.tif 000009
【図８】
2005026810.tif 000010